(57)【要約】      （修正有）【課題】太陽光を利用した発電を任意の場所で行うことができるのみならず、十分な発電量を得ることができる移動式の太陽光発電機を提供する。【解決手段】本移動式太陽光発電機は、走行輪１２と固定脚１４とを備えた架台１６に、ソーラーパネルＡと、該ソーラーパネルＡにヒンジで折り畳み可能に連結されているソーラーパネルＢと、前記ソーラーパネルＡ及び前記ソーラーパネルＢで発電された電気を蓄えるバッテリと、電気を制御する制御機器２２とが搭載され、前記ソーラーパネルＢは、前記ソーラーパネルＡを介して前記架台に固定されていることを特徴とする。【選択図】図１
0003169441.tif 000002
【実用新案登録請求の範囲】
【請求項１】
走行輪と固定脚とを備えた架台に、ソーラーパネルＡと、前記ソーラーパネルＡにヒンジで折り畳み可能に連結されているソーラーパネルＢと、前記ソーラーパネルＡ及び前記ソーラーパネルＢで発電された電気を蓄えるバッテリとが搭載され、前記ソーラーパネルＢは、前記ソーラーパネルＡを介して前記架台に固定されていることを特徴とする移動式太陽光発電機。
【請求項２】
前記ソーラーパネルＡの一端が、連結具を介して前記架台に固定されており、前記架台から延びるアームの先端を、前記ソーラーパネルＡの裏面に設けた係止手段に係止させて、前記ソーラーパネルＡおよび前記ソーラーパネルＢを傾斜させる請求項１に記載の移動式太陽光発電機。
【請求項３】
前記係止手段が、ソーラーパネルＡの一端から他端の方向に複数設けられており、前記アームの先端を前記係止手段のいずれかに係止させて、前記ソーラーパネルＡおよび前記ソーラーパネルＢの傾斜角度を調節する請求項２に記載の移動式太陽光発電機。
【請求項４】
前記ソーラーパネルＢの裏面に、折り畳み可能な支持脚を備える請求項１から３のいずれか一項に記載の移動式太陽光発電機。
【請求項５】
前記架台に吊フックが設けられている請求項１から４のいずれか一項に記載の移動式太陽光発電機。
【請求項６】
前記架台に、電気を制御する制御機器が搭載されている請求項１から５のいずれか一項に記載の移動式太陽光発電機。
【請求項７】
前記架台に、カレンダータイマーが搭載されている請求項１から６のいずれか一項に記載の移動式太陽光発電機。
【考案の詳細な説明】
【技術分野】
【０００１】
本考案は、移動や運搬が容易な太陽光発電機に関するものである。
【背景技術】
【０００２】
近年、ソーラーパネルを建物の屋上や広大な平地に並べる等して、太陽光を利用して発電するシステムが注目されている。
【０００３】
しかしながら、従来の発電システムは、ソーラーパネルが屋上や平地に固定されるため、使用場所が制限されることとなっていた。
【０００４】
かかる問題を解決するため、これまでに、太陽光を利用した発電を任意の場所で行うことを可能とした、移動式ソーラーシステムが開発されている（特許文献１）。しかしながら、かかる発電システムでは十分な発電量を得ることができなかった。
【先行技術文献】
【特許文献】
【０００５】
【特許文献１】特開２０１０−３４１９０号公報
【考案の概要】
【考案が解決しようとする課題】
【０００６】
本考案者は、太陽光を利用した発電を任意の場所で行うことができるのみならず、十分な発電量を得ることができる、移動式の太陽光発電機を提供することを課題として掲げた。
【課題を解決するための手段】
【０００７】
上記課題を解決することのできた本考案の移動式太陽光発電機は、走行輪と固定脚とを備えた架台に、ソーラーパネルＡと、前記ソーラーパネルＡにヒンジで折り畳み可能に連結されているソーラーパネルＢと、前記ソーラーパネルＡ及び前記ソーラーパネルＢで発電された電気を蓄えるバッテリとが搭載され、前記ソーラーパネルＢは、前記ソーラーパネルＡを介して前記架台に固定されていることを特徴とする。
【０００８】
本考案において、前記ソーラーパネルＡの一端が、連結具を介して前記架台に固定されており、前記架台から延びるアームの先端を、前記ソーラーパネルＡの裏面に設けた係止手段に係止させて、前記ソーラーパネルＡおよび前記ソーラーパネルＢを傾斜させることは、好ましい実施態様である。
【０００９】
また、本考案において、前記係止手段が、ソーラーパネルＡの一端から他端の方向に複数設けられており、前記アームの先端を前記係止手段のいずれかに係止させて、前記ソーラーパネルＡおよび前記ソーラーパネルＢの傾斜角度を調節することや、前記ソーラーパネルＢの裏面に、折り畳み可能な支持脚を備えること、前記架台に吊フックが設けられていること、および、前記架台に、電気を制御する制御機器やカレンダータイマーが搭載されていることも、好ましい実施態様である。
【考案の効果】
【００１０】
本考案の移動式太陽光発電機は、複数のソーラーパネルを備えており、日照面積が大きいことから、十分な発電量を得ることができる。また、複数のソーラーパネルをコンパクトに折り畳んだ状態で移動、運搬できるため、太陽光発電を任意の場所、例えば災害発生時の停電地域等で容易に行うことができる。
【図面の簡単な説明】
【００１１】
【図１】本考案の移動式太陽光発電機の一例を示す外観斜視図である。
【図２】ソーラーパネルＢを折り畳んだ状態の外観斜視図である。
【図３】本考案の移動式太陽光発電機の正面図である。
【図４】本考案の移動式太陽光発電機の側面図である。
【考案を実施するための形態】
【００１２】
図１や図２に示すように、本考案の移動式太陽光発電機１０（以下、単に「発電機」と称する場合がある。）は、発電機１０の移動を容易にする走行輪１２と、発電機１０を任意の場所に安定して設置する固定脚１４とを備える架台１６に、太陽光発電を行うソーラーパネルＡと、ソーラーパネルＡにヒンジ１８を介して折り畳み可能に連結されているソーラーパネルＢと、ソーラーパネルＡ及びＢで発電された電気を蓄えるバッテリ２０（図４参照）とが搭載されている。
【００１３】
本考案の発電機１０は、ソーラーパネルＡ及びＢを備え、日照面積が大きいことから、大きな発電量を得ることができる。また、ソーラーパネルＢはヒンジ１８でソーラーパネルＡに折り畳み可能に連結されており、かつ、ソーラーパネルＡを介して架台１６に固定されている。すなわち、ソーラーパネルＢは架台１６と直接固定化されていない。このため、本考案の発電機１０は、これを移動したり運搬する際、図２や図３に示すようにソーラーパネルＢを折り畳むことにより、架台１６とソーラーパネルＡの大きさまで省スペース化できる。さらに、ソーラーパネルＡとＢとを、各パネルの一端同士をヒンジ１８で連結しているため、これらを折り畳めば、ソーラーパネル面が露出しないこととなる。その結果、本考案の発電機１０を移動、運搬する際に、ソーラーパネル面が傷付くのを防止できる。
【００１４】
ソーラーパネルＡやＢの大きさは、求められる発電量等に応じて設定すればよいが、移動や輸送に適したものにするのが好ましい。
【００１５】
本考案の発電機１０が備えるソーラーパネルＡは、ソーラーパネルＢが連結されている端部を除く任意の端部が、連結具２４を介して架台１６に固定されているのが好ましい。かかる構成により、図４に示すように、ソーラーパネルＡ及びＢの傾斜角度を変えることが可能になる。具体的には、ソーラーパネルＡの裏面に係止手段２６を設けると伴に、架台１６からアーム２８を延ばすことにより、当該アーム２８の先端を係止手段２６に係止して、ソーラーパネルＡ及びＢを傾斜させることができる。
【００１６】
本考案において、係止手段２６は、連結具２４で固定されているソーラーパネルＡの一端から他端の方向に向けて、複数設けるのが好ましい。これにより、アーム２８の先端を係止手段２６のいずれかに係止することにより、ソーラーパネルＡおよびＢの傾斜角度を、太陽光線が最も当たりやすいように適宜調整でき、発電量を増加させることができる。
【００１７】
本考案の発電機１０が備える走行輪１２は、発電機１０の移動を安定して行うために架台１６の四隅に設けられることが好ましい。また、発電機１０の走行方向のいずれか一対の走行輪（すなわち、前輪または後輪）の直径を１５０ｍｍ以上（より好ましくは２００ｍｍ以上、さらに好ましくは３５０ｍｍ以上）とするのが好ましい。これにより、砂利道等での発電機１０の移動が容易になる。
【００１８】
本考案の発電機１０は、図４に示すように、走行方向のいずれか一対の走行輪１２にストッパ３０を備えてもよい。これにより、発電機１０を傾斜面に設置した際に、発電機１０が移動するのを防止できる。さらに、走行方向のいずれか一対の走行輪１２に、走行輪１２の輪郭に沿ったカバーで構成される石よけ３１を備えてもよい。これにより、発電機１０を移動中に走行輪１２が砂利を噛んでロックされるのを防ぐことができる。
【００１９】
本考案の発電機１０が備える固定脚１４は、発電機１０を任意の場所に安定して設置できれば、架台１６のいずれの箇所に設けられてもよい。当該固定脚１４は、その先端をねじ込み式にする等して、長さ調節可能にするのが好ましい。これにより、本考案の発電機１０を傾斜地や凹凸のある地面等に設置する場合でも、発電機１０を水平に設置することができる。
【００２０】
本考案の発電機１０が備えるソーラーパネルＢには、その裏面に、折り畳み可能な支持脚３２を設けるのが好ましい（図２）。これにより、ソーラーパネルＢを展開して発電する際、ソーラーパネルＢを支持脚３２で支持できるため、発電機１０を安定して設置できる。支持脚３２の先端は、ねじ込み式にしておくのが好ましい。これにより、支持脚３２の長さを適宜調節できる。
【００２１】
図４に示すように、本考案の発電機１０は、ソーラーパネルＡ及びＢで発電した電気を蓄えるバッテリ２０の他に、インバータやコンバータ等の制御機器２２が搭載固定されているのが好ましい。これにより、太陽光を利用して得た電気を外部の電気機器に供給できる。本考案で用いるバッテリや制御機器は、従来公知のものであってよい。
【００２２】
本考案の発電機１０は、さらにカレンダータイマー（図示しない）を搭載してもよい。かかる構成により、発電機１０より得られた電気を用いて、スプリンクラーや照明器具などの機器を作動させる作動時期を自動調節できる。
【００２３】
本考案の発電機１０は、図４に示すように、ハンドル３４を備えるのが好ましい。これにより、発電機１０を手押しにより移動させるのが容易になる。ハンドル３４は、引き抜き可能に架台１６に取り付けるのが好ましい。かかる構成により、発電機１０を運搬したり、これを用いて発電する際は、ハンドル３４の把持部を下方に向けて架台に取り付けて、省スペース化を図ることができる。また、発電機１０を移動させる際は、ハンドル３４を架台１６より引き抜いた後、把持部を上方に向けて、再度架台１６に挿入することにより、手押しを容易にできる。
【００２４】
本考案の発電機１０は、架台１６に吊フック３６を備えるのが好ましい。これにより、発電機１０をトラックの荷台に積むのが容易になる。吊フック３６は、架台１６の四隅に設けるのが好ましい。これにより、本考案の発電機１０をバランスよく吊り下げることができる。
【符号の説明】
【００２５】
１０  移動式太陽光発電機
１２  走行輪
１４  固定脚
１６  架台
１８  ヒンジ
２０  バッテリ
２２  制御機器
２４  連結具
２６  係止手段
２８  アーム
３０  ストッパ
３１  石よけ
３２  支持脚
３４  ハンドル
３６  吊フック
【図１】
0003169441.tif 000003
【図２】
0003169441.tif 000004
【図３】
0003169441.tif 000005
【図４】
0003169441.tif 000006